(57)【特許請求の範囲】
【請求項１】
上部外周にねじ挿通孔が穿設された筒状の脚の上端部に、該脚の上端に当接する拡大鍔部と、該拡大鍔部の下方に連設されるとともに、前記脚の上端部内に嵌入され、かつ前記ねじ挿通孔と連通する通孔が穿設された挿入部とを有する有底筒状の支持部材を嵌合し、前記挿入部内に、上部に背凭れを有し、かつ下部外周に雌ねじ孔を設けた上下方向を向く背杆の下部を、その下端が前記支持部材の底部に当接するように嵌入し、ねじを前記ねじ挿通孔及び通孔へ挿通して、前記雌ねじ孔に螺締したことを特徴とする椅子における背凭れ取付構造。
【請求項２】
脚の上端部に、軸線方向に延びる切り欠き部を形成するとともに、支持部材の拡大鍔部の下方に、前記切り欠き部に係合する突起部を形成した請求項１記載の椅子における背凭れ取付構造。
【発明の詳細な説明】
【０００１】
【発明の属する技術分野】
本発明は、椅子における背凭れの取付構造、特に金属パイプ製の脚と背凭れとの取付構造に関する。
【０００２】
【従来の技術】
従来、この種の椅子における背凭れ取付構造は、図４に示すように、金属パイプ製の後脚(01)の上端部の内部に溶接された取付金具(02)に、ボルト(03)の下部を螺合させる一方、木製の背凭れ板(04)の側端から突出する突起部(04a)を、木製の円筒部材(05)に穿設した凹溝(05a)に嵌合接着し、この円筒部材(05)の下端部に穿設した孔(05b)に、ボルト(03)の上部を螺合することにより、背凭れ板(04)と円筒部材(05)とからなる背凭れ(06)が後脚(01)に取り付けられている。
【０００３】
【発明が解決しようとする課題】
上述のような、従来の背凭れ構造によれば、取付金具(02)、ボルト(30)、木製の円筒部材(05)等の多くの部品を必要とするばかりでなく、背凭れ(06)と後脚(01)とが上下方向のボルト(03)により連結されるため、それらの連結作業が面倒であるとともに、上下位置が定まりにくい問題がある。
【０００４】
本発明は、上述の問題点に鑑み、部品点数が少なく、かつ背凭れの上下の位置決めを容易にして、連結作業の向上を図ることができるようにした椅子における背凭れの取付構造を提供することを目的としている。
【０００５】
【課題を解決するための手段】
本発明によると、上記課題は、次のようにして解決される。
(１) 上部外周にねじ挿通孔が穿設された筒状の脚の上端部に、該脚の上端に当接する拡大鍔部と、該拡大鍔部の下方に連設されるとともに、前記脚の上端部内に嵌入され、かつ前記ねじ挿通孔と連通する通孔が穿設された挿入部とを有する有底筒状の支持部材を嵌合し、前記挿入部内に、上部に背凭れを有し、かつ下部外周に雌ねじ孔を設けた上下方向を向く背杆の下部を、その下端が前記支持部材の底部に当接するように嵌入し、ねじを前記ねじ挿通孔及び通孔へ挿通して、前記雌ねじ孔に螺締する。
【０００６】
(２) 上記(１)項において、脚の上端部に、軸線方向に延びる切り欠き部を形成するとともに、支持部材の拡大鍔部の下方に、前記切り欠き部に係合する突起部を形成する。
【０００７】
【発明の実施の形態】
以下、本発明の一実施形態を図面に基づいて説明する。
図１は、本発明の一実施形態を備えた椅子(Ａ)の正面図、図２は、連結部(Ｂ)の分解斜視図、図３は、図１におけるIII−III線に沿う縦断拡大側面図である。
【０００８】
背凭れ板(１)を支持する左右１対の背杆(２)は、連結部(Ｂ)をもって、金属パイプ製のフレーム(３)の後脚を形成する左右１対の筒状の脚部材(４)に支持部材(５)を介して取り付けられている。
【０００９】
図２に示すように、脚(４)の上端(4a)は開放端となっており、その一部に軸線方向に延びる切り欠き部(６)が形成されている。また、この上端部には、切り欠き部(６)の少し下方の外周面に、軸線方向と直交する方向のねじ挿通孔(７)が穿設されている。
【００１０】
支持部材(５)は、例えば合成樹脂材料により有底筒状に一体成型され、かつ脚(４)の上端部内に嵌入されるとともに、脚(４)の内径にほぼ等しい外径を有する挿入部(5a)と、挿入部(5a)の上端に連設され、脚(４)の上端(4a)と当接する拡大鍔部(８)とを有している。
【００１１】
拡大鍔部(８)の下方には、脚(４)の切り欠き部(６)に対応する形状で、拡大鍔部(８)の下面から下方に延びる突起部(９)が形成されている。
挿入部(5a)の外周面には、脚(４)のねじ挿通孔(７)に対応するように、通孔(10)が穿設されている。
【００１２】
支持部材(５)には、上方が開口し、かつ背杆(２)の外径に等しい内径の軸線方向の筒状孔(11)が穿設されており、その下端は、段部すなわち底部(12)で終わっている。底部(12)の中央には、通孔(12a)が設けられており、組立時の空気抜き等に役立っている。
【００１３】
背凭れ板(１)を支持する背杆(２)には、背杆(２)を支持部材(５)の筒状孔(11)に挿入し、その下端を底部(12)に当接させた時に、支持部材(５)の通孔(10)に整合する位置に、雌ねじ孔(14)が穿設されている。ねじ(13)は、脚(４)のねじ挿通孔(７)と支持部材(５)の通孔(10)を挿通し、背杆(２)の雌ねじ孔(14)に螺入されれることにより、脚(４)に対して背杆(２)と支持部材(５)とを抜止めしている。
【００１４】
組立にあたっては、支持部材(５)の挿入部(5a)を脚(４)の上端から内部に挿入し、突起部(９)を切り欠き部(６)に嵌め合わせて、拡大鍔部(８)を脚(４)の上端(4a)に当接させる。これにより、ねじ挿通孔(７)と通孔(10)とが整合する。
【００１５】
ついで、背杆(２)の下部を、支持部材(５)の上端から、筒状孔(11)の内部に挿入して、背杆(２)の下端を、底部(12)に当接させることにより、背杆(２)は上下に位置決めされるとともに、背杆(２)の雌ねじ孔(14)は、ねじ挿通孔(７)と通孔(10)とに整合する。整合しているねじ挿通孔(７)と通孔(10)を介して、ねじ(13)を背杆(２)の雌ねじ孔(14)に螺合する。
【００１６】
この状態では、背杆(２)は、ねじ(13)により上下方向及び回転方向に動かないように係止される。背杆(２)に作用する下向きの荷重は、まず支持部材(５)の底部(12)により受けられ、ねじ(13)に負担をかけない。また、背杆(２)に作用する座者の荷重は、背杆(２)の外周面と支持部材(５)の内周面との間の面圧として受けられ、これが、支持部材(５)の挿入部(5a)の外周面と脚(４)の内周面との面接触により脚(４)に伝達され、強固に受けられる。
【００１７】
【発明の効果】
請求項１記載の発明によれば、部品点数が少なく、かつ簡単な構成で、背杆を、脚に嵌入された支持部材に挿入するだけで、すなわち無調整で背杆の上下の位置決めを行うことができ、取付作業の向上を図ることができる。
【００１８】
また、背杆に作用する座者の荷重が広面積で支持されるので、背杆を強固に支持することができる。
【００１９】
請求項２記載の発明によれば、支持部材の回転方向に対する位置決めが確実かつ容易になされる。
【図面の簡単な説明】
【図１】本発明の一実施形態を備えた椅子の正面図である。
【図２】同じく、連結部の分解斜視図である。
【図３】同じく、図１におけるIII−III線に沿う拡大縦断側面図である。
【図４】従来の背凭れの連結構造を示す要部の分解斜視図である。
【符号の説明】
(Ａ)椅子
(Ｂ)連結部
(１)背凭れ板
(２)背杆
(３)フレーム
(４)脚
(4a)上端
(５)支持部材
(5a)挿入部
(６)切り欠き部
(７)ねじ挿通孔
(８)拡大鍔部
(９)突起部
(10)通孔
(11)筒状孔
(12)底部
(12a)通孔
(13)ねじ
(14)雌ねじ孔
【図１】
0004452398.tif 000002
【図２】
0004452398.tif 000003
【図３】
0004452398.tif 000004
【図４】
0004452398.tif 000005